(57)【要約】      （修正有）【課題】異なる導光によって異なる機能を有する多機能導光ホルダを提供する。【解決手段】鞘管１と光学部品２とを含み、該鞘管１の底部と頂部にそれぞれに光源固定部１２と部品固定部１３が形成され、該光源固定部１２の周面に一対の透かし槽１２１が対向方向に設けられ、各該透かし槽１２１に第一支柱１２２が軸方向に設けられる。各該第一支柱１２２の内壁に第一下止めホゾ１２２ａが径方向に設けられ、該鞘管１の底部の開口の内壁に少なくとも二つのホゾ１２４が内へ突設され、１つの発光ダイオード３の突縁３１を共同で挟むようにされ、該部品固定部１３の周面に少なくとも二つの嵌め槽１３１が径方向に開設され、該光学部品２が、光透過性材料で製造され、該部品固定部１３の内に挿入される接合部２１を含み、該光学部品２を該部品固定部１３に付装させ、該接合部２１の上方に一つの幾何造形の導光柱２２あるいは光ファイバ線の挿着用のプラグチューブ２４が設けられる。【選択図】図１
0003213205.tif 000002
【実用新案登録請求の範囲】
【請求項１】
鞘管と光学部品とを含み、
該鞘管の底部と頂部にそれぞれに光源固定部と部品固定部が形成され、該光源固定部の周面に一対の透かし槽が対向方向に設けられ、各該透かし槽の内に第一支柱が軸方向に設けられ、各該第一支柱の内壁に第一下止めホゾが径方向に設けられ、該鞘管の底部の開口の内壁に少なくとも二つのホゾが内へ突設され、一対の該第一下止めホゾと該ホゾが１つの発光ダイオードの突縁を共同で挟むようにされ、該部品固定部の周面に少なくとも二つの嵌め槽が径方向に開設され、
該光学部品が、光透過性材料で製造され、該部品固定部の内に挿入される接合部を含み、該接合部に該嵌め槽の位置に対応して嵌める嵌めフックが設けられ、該光学部品を該部品固定部に付装させ、該接合部の上方に一つの幾何造形の導光柱が設けられることを特徴とする多機能導光ホルダ。
【請求項２】
鞘管と光学部品とを含み、
該鞘管の底部と頂部にそれぞれに光源固定部と部品固定部が形成され、該光源固定部の周面に一対の透かし槽が対向方向に設けられ、各該透かし槽の内に第一支柱が軸方向に設けられ、各該第一支柱の内壁に第一下止めホゾが径方向に設けられ、該鞘管の底部の開口の内壁に少なくとも二つのホゾが内へ突設され、一対の該第一下止めホゾと該ホゾが１つの発光ダイオードの突縁を共同で挟むようにされ、該部品固定部の周面に少なくとも二つの嵌め槽が径方向に開設され、
該光学部品が、該部品固定部の内に挿入される接合部を含み、該接合部に該嵌め槽の位置に対応して嵌める嵌めフックが設けられ、該光学部品を該部品固定部に付装させ、該接合部の上方に一つのプラグチューブが軸方向に連接され、該プラグチューブに、該接合部を連通する光ファイバ線の挿着用のワイヤ孔が開設されることを特徴とする多機能導光ホルダ。
【請求項３】
該鞘管の周面にディスクプレートが径方向に連接され、該ディスクプレートが該光源固定部と該部品固定部を隔て、一対の該第一支柱の外壁にそれぞれに一つの楔形の第一下掛けホゾが径方向に設けられ、該鞘管の周面にさらに少なくとも一つの第二支柱が軸方向に設けられ、各該第二支柱の内壁と外壁にそれぞれに一つの第二下止めホゾと一つの楔形の第二下掛けホゾが径方向に設けられ、一対の該第一下掛けホゾと少なくとも一つの該第二下掛けホゾとがクランプ平面を形成し、該クランプ平面と該ディスクプレートとの間に隙間を有し、一対の該第一下止めホゾと該少なくとも一つの該第二下止めホゾと該ホゾとが該突縁を共同で挟むようにされることを特徴とする請求項１又は２に記載の多機能導光ホルダ。
【請求項４】
該鞘管の周面の底部に一対の脚部槽が対向方向に設けられることを特徴とする請求項１又は２に記載の多機能導光ホルダ。
【請求項５】
該第二支柱の数量が一対であり、対向方向に該鞘管の周面に設けられ、該第二支柱が該第一支柱に対して垂直方向に設けられることを特徴とする請求項１又は２に記載の多機能導光ホルダ。
【請求項６】
該ホゾの数量が二つであり、対向方向に該鞘管の該底部に設けられ、該嵌め槽の数量が二つであり、対向方向に該ディスクプレートの上に設けられることを特徴とする請求項１又は２に記載の多機能導光ホルダ。
【請求項７】
該ホゾに内へ斜めに切る第一ガイド斜面を有し、該嵌め槽の上方に内へ斜めに切る第二ガイド斜面を有することを特徴とする請求項６に記載の多機能導光ホルダ。
【請求項８】
該部品固定部の頂部の開口の周縁に少なくとも一つの回転防止凹槽が開設され、該接合部と該導光柱との間にさらに蓋板を有し、該蓋板が該頂部の開口を閉め、該蓋板の底面に、少なくとも一つの該回転防止凹槽の位置に対応してそれぞれに一つの回転防止凸ホゾが突設され、該回転防止凸ホゾが該回転防止凹槽の内に挿設されることを特徴とする請求項１に記載の多機能導光ホルダ。
【請求項９】
該蓋板と該導光柱に近づく位置に一つの幾何造形の位置止めフランジが設けられることを特徴とする請求項８に記載の多機能導光ホルダ。
【請求項１０】
該部品固定部の頂部の開口の周縁に少なくとも一つの回転防止凹槽が開設され、該接合部と該導光柱との間にさらに蓋板を有し、該蓋板が該頂部の開口を閉め、該蓋板の底面に、少なくとも一つの該回転防止凹槽の位置に対応してそれぞれに一つの回転防止凸ホゾが突設され、該回転防止凸ホゾが該回転防止凹槽の内に挿設されることを特徴とする請求項２に記載の多機能導光ホルダ。 
【考案の詳細な説明】
【技術分野】
【０００１】
本考案は導光ホルダに関し、特に異なる導光の必要、例えば、指示、照明、又はデータ伝送によって異なる機能を有する光学部品と結合する多機能導光ホルダに関する。
【背景技術】
【０００２】
発光ダイオード（ＬＥＤ）は小さい体積及び発光の機能を有するため、電子又は機械製品の指示又は警告用の灯具に広く用いられている。しかしながら、材料科学の進歩に伴い、ＬＥＤの全体の光度が大幅に増進し、カラーも日々に多くになる。よって、ＬＥＤを照明の領域に適用する業者もある。
【０００３】
少しの導光の必要がある場合、例えば、機械の表示パネルからプリント回路基板までの距離は短いと、大体導光ホルダを光線の指示又は照明として機能される。該導光ホルダは少なくとも一つの導光柱を該プリント回路基板の上に設けられ、少なくとも一つの該導光柱の自由端が該表示面板に設けられる。従って、光源、例えばＬＥＤが点灯する時、それが発射される光線は少なくとも一つの該導光柱の伝送によって該表示パネルに指示又は照明を提供する。
【０００４】
該表示パネルから該プリント回路基板までに長い距離を隔てると、従来の技術は連接配線を介して、即ち該プリント回路基板から該表示パネルまでにレイアウトし、次に該表示パネルに光源、例えば、ＬＥＤを設置して指示又は照明とする。もちろん、このような方法では、該光源が点灯しない時に、連接配線の両端を検査する必要がある。さらに、該連接配線の連接又はレイアウトは不便性及び危険性があり、特に製造工場の場合である。
【０００５】
よって、台湾実用新案登録第Ｍ２６３６２５号公報の「ＬＥＤ保持装置」に示すように、発光ダイオードを該ＬＥＤ保持装置の中央部の内に収容して固定し、該発光ダイオードの二つのピン（ｐｉｎｓ）が、左翼部と右翼部とが対向に連接して囲む空間から突出する。該中央部の頂部の開口に、プラグチューブにより光ファイバ線が挿入され、該発光ダイオードが点灯した後、該光ファイバ線を介して光線を伝送し、該光ファイバの端末に透明の表示カバーを設置し、該光線を透過させる。該発光ダイオードから突出する二つのピンがプリント回路基板に挿入し、はんだによって固定される。該考案が確かに該プリント回路基板から該表示位置までレイアウトする問題を改善し、発光ダイオードに連接して信号灯の表示不便の問題も解決し、光ファイバ線を利用して光線伝送を行うことは損失の問題がない。
【０００６】
しかしながら、上記の導光柱を有する導光ホルダ又はプラグチューブを有する導光ホルダ（ＬＥＤ保持装置）はいずれも単一の構成部品であり、両者の共用性がなく、製造業者の二つ種類の導光ホルダの在庫量が増えるため、在庫コストが増加する。よって、該導光ホルダを導光の必要によって選択的に光学部品と結合するものに設計することは、関連業者に対して克服しようとする問題である。
【先行技術文献】
【特許文献】
【０００７】
【特許文献１】実用新案登録第3105898号公報
【考案の概要】
【考案が解決しようとする課題】
【０００８】
本考案の主な目的は、鞘管を含む多機能導光ホルダを提供することになり、該鞘管が導光の必要、例えば、指示、照明、又はデータ伝送によって選択的に異なる機能を有する光学部品と結合することができ、該光学部品に対して在庫量を下がる低めることにより、在庫コストを抑える。
【課題を解決するための手段】
【０００９】
上述した目的を達成するために、本考案に係る多機能導光ホルダは、鞘管と光学部品とを含み、該鞘管の底部と頂部にそれぞれに光源固定部と部品固定部が形成され、該光源固定部の周面に一対の透かし槽が対向方向に設けられ、各該透かし槽の内に第一支柱が軸方向に設けられ、各該第一支柱の内壁に第一下止めホゾが径方向に設けられ、該鞘管の底部の開口の内壁に少なくとも二つのホゾが内へ突設され、一対の該第一下止めホゾと該ホゾが１つの発光ダイオードの突縁を共同で挟むようにされ、該部品固定部の周面に少なくとも二つの嵌め槽が径方向に開設され、該光学部品が、光透過性材料で製造され、該部品固定部の内に挿入される接合部を含み、該接合部に該嵌め槽の位置に対応して嵌める嵌めフックが設けられ、該光学部品を該部品固定部に付装させ、該接合部の上方に一つの幾何造形の導光柱が設けられる。
【００１０】
上述した目的を達成するために、本考案に係るもう一つの多機能導光ホルダは、鞘管と光学部品とを含み、該鞘管の底部と頂部にそれぞれに光源固定部と部品固定部が形成され、該光源固定部の周面に一対の透かし槽が対向方向に設けられ、各該透かし槽の内に第一支柱が軸方向に設けられ、各該第一支柱の内壁に第一下止めホゾが径方向に設けられ、該鞘管の底部の開口の内壁に少なくとも二つのホゾが内へ突設され、一対の該第一下止めホゾと該ホゾが１つの発光ダイオードの突縁を共同で挟むようにされ、該部品固定部の周面に少なくとも二つの嵌め槽が径方向に開設され、該光学部品が、該部品固定部の内に挿入される接合部を含み、該接合部に該嵌め槽の位置に対応して嵌める嵌めフックが設けられ、該光学部品を該部品固定部に付装させ、該接合部の上方に一つのプラグチューブが軸方向に連接され、該プラグチューブに、該接合部を連通する光ファイバ線の挿着用のワイヤ孔が開設される。
【図面の簡単な説明】
【００１１】
【図１】本考案に係る多機能導光ホルダを示す分解斜面図である。
【図２】図１に示す鞘管をＡ−Ａ鎖線に沿って切断する断面を示す斜面図である。
【図３】図１に示す鞘管をＢ−Ｂ鎖線に沿って切断する断面を示す斜面図である。
【図４】図１に示す鞘管を他の視点から見る状態を示す斜面図である。
【図５】鞘管が光学部品と結合する第一実施例を示す斜面図である。
【図６】図５に示す多機能導光ホルダを示す断面図である。
【図７】鞘管が光学部品と結合する第二実施例を示す斜面図である。
【図８】図７に示す多機能導光ホルダを示す断面図である。
【図９】図７に示す多機能導光ホルダが光ファイバ線と結合した後の使用状態を示す斜面図である。
【図１０】図５に示す多機能導光ホルダが板材に取り付けようとする状態を示す分解斜面図である。
【図１１】図７に示す多機能導光ホルダが他の板材に取り付けようとする状態を示す分解斜面図である。
【図１２】図５に示す多機能導光ホルダがもう一つの板材に取り付けようとする状態を示す分解斜面図である。
【考案を実施するための形態】
【実施例】
【００１２】
図１に示すように、本考案に係る多機能導光ホルダは、鞘管１と該鞘管１と結合される光学部品２とを含む。該鞘管１と該光学部品２はいずれも一体成型であり、例えば、プラスチック射出成型の単一の構成部品である。
【００１３】
該鞘管１の外周面に大きい外径を有するディスクプレート１１が径方向に連接され、該ディスクプレート１１が、発光ダイオード（ＬＥＤ）３を取り付けるための光源固定部１２と該光学部品２を取り付けるための部品固定部と１３を定める。該光源固定部１２の周面に一対の透かし槽１２１が対向方向に設けられ、各該透かし槽１２１の内に第一支柱１２２が軸方向に設けられ、各該第一支柱１２２の内壁に第一下止めホゾ１２２ａが径方向に設けられ、そしてその外壁に楔形の第一下掛けホゾ１２２ｂが径方向に設けられ、該第一下掛けホゾ１２２ｂと該ディスクプレート１１との間に隙間を形成させ、板材４に予めに設けられた板の穴４１（図１０に示す）にクランプされようにする。
【００１４】
該鞘管１の周面にさらに少なくとも一つの第二支柱１２３が軸方向に設けられ、好ましくは該第二支柱１２３の数量が一対であり、対向方向に該鞘管１の周面に設けられ、また好ましくは該第二支柱１２３が該第一支柱１２２に対して互いに垂直方向に設けられる。各該第二支柱１２３の内壁に一つの第二下止めホゾ１２３ａ（図３に示す）が径方向に設けられ、そしてその外壁に一つの楔形の第二下掛けホゾ１２３ｂが径方向に設けられ、該第二下掛けホゾ１２３ｂと該ディスクプレート１１との間に隙間を形成させ、該板材４に予めに設けられた該板の穴４１（図１０に示す）にクランプされようにする。各該第二支柱１２３の下方に、金型の滑り金の通過用の貫通槽１２３ｃが径方向に開設される。
【００１５】
図３及び図４に示すように、該鞘管１の底部の開口の内壁に少なくとも二つのホゾ１２４が内へ突設され、好ましくは該ホゾ１２４が該鞘管１の該底部に対向方向に設けられ、且つ各該貫通槽１２３ｃの下方に径方向に設けられ、各該ホゾ１２４に内へ斜めに切る第一ガイド斜面１２４ａを有し、該ＬＥＤ３を該鞘管１の該底部の開口の内に進入することを導引するためにある。
【００１６】
したがって、一対の該第一下止めホゾ１２２ａと少なくとも一つの該第二下止めホゾ１２３ａとが一つの平面形状のストッパーを形成し、該ＬＥＤ３の突縁３１が該鞘管１の内部にある該ホゾ１２４と一対の該第一下止めホゾ１２２ａと該少なくとも一つの該第二下止めホゾ１２３ａで挟まれるため、該ＬＥＤ３が該光源固定部１２の内に外れ、分離、又は揺れ動きを発生する状況を避けられる。なお、一対の該第一下掛けホゾ１２２ｂと少なくとも一つの該第二下掛けホゾ１２３ｂとがクランプ平面を形成し、該ディスクプレート１１と共に該板材４に設けられた該板の穴４１にクランプされようにし、揺れ動きを発生する状況を避けられる。
【００１７】
さらに、該鞘管１の周面の底部に一対の脚部槽１２５が対向方向に設けられ、図１と図４に示すように、好ましくは一対の該脚部槽１２５が一対の該第一支柱１２２の下方に位置される。よって、一対の該脚部槽１２５が３ピン仕様のＬＥＤ３の両側に突出される一対のピン３２を収容できる。
【００１８】
図６及び図８を参照し、それらの図から、該鞘管１が該ＬＥＤ３と取り付ける際に、ただ該ＬＥＤ３を該鞘管１の底部の開口より挿入する必要があり、該ＬＥＤ３が該ホゾ１２４の各該第一ガイド斜面１２４ａに沿って該鞘管１の内に進入し、該ＬＥＤ３の該突縁３１が該ホゾ１２４を越えるまでであり、該第一下止めホゾ１２２ａと該第二下止めホゾ１２３ａをストッパーとして、該ＬＥＤ３を該鞘管１の底部の内に収容させ、該突縁３１が該ホゾ１２４と該第一下止めホゾ１２２ａ及び該第二下止めホゾ１２３ａとの間にクランプされることは明らかに分かられる。該ＬＥＤ３の両側にある二つのピン３２が一対の該脚部槽１２５の内に収容されて下方へ延びられる。
【００１９】
該部品固定部１３の周面に少なくとも二つの嵌め槽１３１が径方向に開設され、図１に示すように、該嵌め槽１３１の数量が二つであり、対向方向に該ディスクプレート１１の上に設けられ、各該嵌め槽１３１の上方に内へ斜めに切る第二ガイド斜面１３２を有し、該光学部品２を該部品固定部１３の内に進入することを導引するためにある。また、該光学部品２を該部品固定部１３に挿入した後に回転の状況を避けるように、該鞘管１の該頂部の開口の周縁に少なくとも一つの回転防止凹槽１３３が開設される。
【００２０】
また、該鞘管１の周面にさらに少なくとも二つの楔形の上掛けホゾ１３４が軸方向に設けられ、好ましくは該上掛けホゾ１３４の数量が二つであり、対向方向に該鞘管１の周面に設けられ、また好ましくは一対の該上掛けホゾ１３４が一対の該嵌め槽１３１に対して互いに垂直方向に設けられ、各該上掛けホゾ１３４と該ディスクプレート１１との間に隙間を形成し、該板材４に予めに設けられた該板の穴４１（図１１に示す）にクランプされようにする。該鞘管１が該板の穴４１の内に回転することを避けるように、該鞘管１は該上掛けホゾ１３４と該ディスクプレート１１との間にそれぞれに第一直立割面１３５が設けられ、該板の穴４１と対向方向に設けられる一対の第二直立割面４１１と互いに当接しようにし（図１２に示す）、該鞘管１が該板の穴４１の内に回転する状況を発生することを避けられる。
【００２１】
図１、図５、及び図６を参照し、該光学部品２の第一実施例が光透過性材料で製造され、該鞘管１の頂部の開口の内に挿入される接合部２１を含み、該接合部２１が中実体であり、それぞれに該嵌め槽１３１の位置に対応して嵌める嵌めフック２１１が設けられ、該嵌めフック２１１が該第二ガイド斜面１３２に沿って下方へ移動して該嵌め槽１３１の内に嵌め、該光学部品２を該部品固定部１３に付装可能である。該接合部２１の上方に一つの幾何造形、例えば、矩形の導光柱２２が設けられるが、それを限定するものではない。該接合部２１が該部品固定部１３の内に結合される場合、該接合部２１の底部が該ＬＥＤ３に隣接し、光線の伝送のためにあり、該ＬＥＤ３が発送した光線を該接合部２１に通過させて該導光柱２２の内に進入させ、該光線を均一且つ柔らかに該導光柱２２に呈され、指示又は照明として機能できる。
【００２２】
該接合部２１と該導光柱２２との間にさらに蓋板２３を有し、該蓋板２３が該鞘管１の該頂部の開口を閉め、該蓋板２３の底面に、少なくとも一つの該回転防止凹槽１３３の位置に対応してそれぞれに一つの回転防止凸ホゾ２３１が突設され、該回転防止凸ホゾ２３１が該回転防止凹槽１３３の内に挿設され、該光学部品２が該鞘管１の該頂部の開口に回転することを避けられる。なお、該蓋板２３が一つの表示パネルに覆設される位置止め機能を具有させるために、該蓋板２３と該導光柱２２に近づく位置に一つの幾何造形、例えば、矩形の位置止めフランジ２３２が設けられるが、それを限定するものではなく、該位置止めフランジ２３２が該表示パネル（図に示せず）に予めに設けられた定位孔の内に着接し、位置止め効果を果たす。
【００２３】
図１、図７、及び図８を参照し、該光学部品２の第二実施例が光透過性材料又は非光透過性材料で製造され、この第二実施例は該第一実施例に比べ、同じのマーク（符号）で共通の部分を表示し、この第二実施例と該第一実施例とは共通の部分を大部分に有するので、下記は両者の差異のみを詳細に説明する。
【００２４】
該接合部２１に一つのプラグチューブ２４が軸方向に連接され、該プラグチューブ２４に、該接合部２１を連通する光ファイバ線５の挿着用のワイヤ孔２４１が開設される。該光ファイバ線５が該ワイヤ孔２４１の内に挿入する場合、該ワイヤ線５の底部が該ＬＥＤ３に隣接し、光線の伝送のためにあり、指示、照明、又はデータ伝送として機能できる。
【００２５】
同様に、該接合部２１と該プラグチューブ２４との間にさらに蓋板２３を有し、該蓋板２３が該鞘管１の該頂部の開口を閉め、該蓋板２３の底面に、少なくとも一つの該回転防止凹槽１３３の位置に対応してそれぞれに一つの回転防止凸ホゾ２３１が突設され、該回転防止凸ホゾ２３１が該回転防止凹槽１３３の内に挿設され、該光学部品２が該鞘管１の該頂部の開口に回転することを避けられる。
【００２６】
図９に示すように、該鞘管１と該プラグチューブ２４を有する該光学部品２と該光ファイバ線５とを組み立てた実施形態を表示し、この形態において、該鞘管１の底部が該板材４の該板の穴４１を合わせて軸方向に挿入し、一対の該第一下掛けホゾ１２２ｂと少なくとも一つの該第二下掛けホゾ１２３ｂと該ディスクプレート１１が共同で該板の穴４１にクランプされようにし、堅固な結合状態を形成し、揺れ動きを発生する状況を避けられる。
【００２７】
図１０に示すように、該鞘管１と該導光柱２２を有する該光学部品２と該板材４とを組み立てた実施形態を表示し、この形態において、該鞘管１の底部が該板材４の該板の穴４１を合わせて軸方向に挿入し、一対の該第一下掛けホゾ１２２ｂと少なくとも一つの該第二下掛けホゾ１２３ｂと該ディスクプレート１１が共同で該板の穴４１にクランプされようにし、堅固な結合状態を形成し、揺れ動きを発生する状況を避けられる。
【００２８】
図１１に示すように、該鞘管１と該プラグチューブ２４を有する該光学部品２と該板材４とを組み立てた実施形態を表示し、この形態において、該鞘管１の頂部が該板材４の該板の穴４１を合わせて軸方向に挿入し、少なくとも二つの該上掛けホゾ１３４と該ディスクプレート１１が共同で該板の穴４１にクランプされようにし、堅固な結合状態を形成し、揺れ動きを発生する状況を避けられる。最後に、光ファイバ線５を該ワイヤ孔２４１から挿入し、該多機能導光ホルダと該光ファイバ線５との取り付けを完成する。
【００２９】
図１２に示すように、該鞘管１と該導光柱２２を有する該光学部品２と該光ファイバ線５とを組み立てた実施形態を表示し、この形態において、該板材４のＵ字形状の該板の穴４１が該上掛けホゾ１３４の位置を合わせて径方向に挿入し、一対の該上掛けホゾ１３４と該ディスクプレート１１が共同で該板の穴４１にクランプされようにし、一対の該上掛けホゾ１３４と該ディスクプレート１１との間にある一対の該第一直立割面１３５と、該板の穴４１と対向方向に設けられる一対の該第二直立割面４１１と当接し、該鞘管１が該板の穴４１の内に回転する状況を発生することを避けられる。
【００３０】
本考案の実施状態によれば、該鞘管がモジュール化に設計され、異なる導光の必要、例えば、指示、照明、又はデータ伝送によって適な光学部品を選択して該鞘管に結合することができ、該光学部品に対して在庫量を下がる低めることにより、在庫コストを抑える。なお、該多機能導光ホルダが実際の実施状態によって、選択的に該板材と結合する又は結合しないことにより、使用範囲を広め、当領域において見たことがない優れた製品ともいえる。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１……鞘管
１１……ディスクプレート
１２……光源固定部
１２１……透かし槽
１２２……第一支柱
１２２ａ……第一下止めホゾ
１２２ｂ……第一下掛けホゾ
１２３……第二支柱
１２３ａ……第二下止めホゾ
１２３ｂ……第二下掛けホゾ
１２３ｃ……貫通槽
１２４……ホゾ
１２４ａ……第一ガイド斜面
１２５……脚部槽
１３……部品固定部
１３１……嵌め槽
１３２……第二ガイド斜面
１３３……回転防止凹槽
１３４……上掛けホゾ
１３５……第一直立割面
２……光学部品
２１……接合部
２１１……嵌めフック
２２……導光柱
２３……蓋板
２３１……回転防止凸ホゾ
２３２……位置止めフランジ
２４……プラグチューブ
２４１……ワイヤ孔
３……発光ダイオード
３１……突縁
３２……ピン
４……板材
４１……板の穴
４１１……第二直立割面
５……光ファイバ線
【図１】
0003213205.tif 000003
【図２】
0003213205.tif 000004
【図３】
0003213205.tif 000005
【図４】
0003213205.tif 000006
【図５】
0003213205.tif 000007
【図６】
0003213205.tif 000008
【図７】
0003213205.tif 000009
【図８】
0003213205.tif 000010
【図９】
0003213205.tif 000011
【図１０】
0003213205.tif 000012
【図１１】
0003213205.tif 000013
【図１２】
0003213205.tif 000014
【手続補正書】
【提出日】平成29年8月15日(2017.8.15)
【手続補正１】
【補正対象書類名】実用新案登録請求の範囲
【補正対象項目名】全文
【補正方法】変更
【補正の内容】
【実用新案登録請求の範囲】
【請求項１】
鞘管と光学部品とを含み、
該鞘管の底部と頂部にそれぞれに光源固定部と部品固定部が形成され、該光源固定部の周面に一対の透かし槽が対向方向に設けられ、各該透かし槽の内に第一支柱が軸方向に設けられ、各該第一支柱の内壁に第一下止めホゾが径方向に設けられ、該鞘管の底部の開口の内壁に少なくとも二つのホゾが内へ突設され、一対の該第一下止めホゾと該ホゾが１つの発光ダイオードの突縁を共同で挟むようにされ、該部品固定部の周面に少なくとも二つの嵌め槽が径方向に開設され、
該光学部品が、光透過性材料で製造され、該部品固定部の内に挿入される接合部を含み、該接合部に該嵌め槽の位置に対応して嵌める嵌めフックが設けられ、該光学部品を該部品固定部に付装させ、該接合部の上方に一つの幾何造形の導光柱が設けられることを特徴とする多機能導光ホルダ。
【請求項２】
鞘管と光学部品とを含み、
該鞘管の底部と頂部にそれぞれに光源固定部と部品固定部が形成され、該光源固定部の周面に一対の透かし槽が対向方向に設けられ、各該透かし槽の内に第一支柱が軸方向に設けられ、各該第一支柱の内壁に第一下止めホゾが径方向に設けられ、該鞘管の底部の開口の内壁に少なくとも二つのホゾが内へ突設され、一対の該第一下止めホゾと該ホゾが１つの発光ダイオードの突縁を共同で挟むようにされ、該部品固定部の周面に少なくとも二つの嵌め槽が径方向に開設され、
該光学部品が、該部品固定部の内に挿入される接合部を含み、該接合部に該嵌め槽の位置に対応して嵌める嵌めフックが設けられ、該光学部品を該部品固定部に付装させ、該接合部の上方に一つのプラグチューブが軸方向に連接され、該プラグチューブに、該接合部を連通する光ファイバ線の挿着用のワイヤ孔が開設されることを特徴とする多機能導光ホルダ。
【請求項３】
該鞘管の周面にディスクプレートが径方向に連接され、該ディスクプレートが該光源固定部と該部品固定部を隔て、一対の該第一支柱の外壁にそれぞれに一つの楔形の第一下掛けホゾが径方向に設けられ、該鞘管の周面にさらに少なくとも一つの第二支柱が軸方向に設けられ、各該第二支柱の内壁と外壁にそれぞれに一つの第二下止めホゾと一つの楔形の第二下掛けホゾが径方向に設けられ、一対の該第一下掛けホゾと少なくとも一つの該第二下掛けホゾとがクランプ平面を形成し、該クランプ平面と該ディスクプレートとの間に隙間を有し、一対の該第一下止めホゾと該少なくとも一つの該第二下止めホゾと該ホゾとが該突縁を共同で挟むようにされることを特徴とする請求項１又は２に記載の多機能導光ホルダ。
【請求項４】
該鞘管の周面の底部に一対の脚部槽が対向方向に設けられることを特徴とする請求項１又は２に記載の多機能導光ホルダ。
【請求項５】
該第二支柱の数量が一対であり、対向方向に該鞘管の周面に設けられ、該第二支柱が該第一支柱に対して垂直方向に設けられることを特徴とする請求項３に記載の多機能導光ホルダ。
【請求項６】
該ホゾの数量が二つであり、対向方向に該鞘管の該底部に設けられ、該嵌め槽の数量が二つであり、対向方向に該ディスクプレートの上に設けられることを特徴とする請求項３に記載の多機能導光ホルダ。
【請求項７】
該ホゾに内へ斜めに切る第一ガイド斜面を有し、該嵌め槽の上方に内へ斜めに切る第二ガイド斜面を有することを特徴とする請求項６に記載の多機能導光ホルダ。
【請求項８】
該部品固定部の頂部の開口の周縁に少なくとも一つの回転防止凹槽が開設され、該接合部と該導光柱との間にさらに蓋板を有し、該蓋板が該頂部の開口を閉め、該蓋板の底面に、少なくとも一つの該回転防止凹槽の位置に対応してそれぞれに一つの回転防止凸ホゾが突設され、該回転防止凸ホゾが該回転防止凹槽の内に挿設されることを特徴とする請求項１に記載の多機能導光ホルダ。
【請求項９】
該蓋板と該導光柱に近づく位置に一つの幾何造形の位置止めフランジが設けられることを特徴とする請求項８に記載の多機能導光ホルダ。
【請求項１０】
該部品固定部の頂部の開口の周縁に少なくとも一つの回転防止凹槽が開設され、該接合部と該導光柱との間にさらに蓋板を有し、該蓋板が該頂部の開口を閉め、該蓋板の底面に、少なくとも一つの該回転防止凹槽の位置に対応してそれぞれに一つの回転防止凸ホゾが突設され、該回転防止凸ホゾが該回転防止凹槽の内に挿設されることを特徴とする請求項１に記載の多機能導光ホルダ。